(57)【要約】      （修正有）【課題】看護学部の学生の分娩実習における実習教材として、できるだけ実際に近い胎盤モデルを提供する。【解決手段】模擬胎盤において、模擬卵膜３は撥水加工を施した素材で構成した。模擬胎盤本体７はプラスチックのペレット集合体からなる充填材と、この充填材を内部に収納する表面材とで構成し、上記表面材は模擬卵膜の開口側から見て中央部１に位置する非伸縮性の布地からなる非伸縮性表面材と、周辺部２に位置する伸縮性の布地からなる伸縮性表面材とで構成した。また、模擬臍帯は模擬血管と、この模擬血管に沿って模擬血管を取り囲むように筒状に構成された透明感のあるポリエステル素材の外側膜６で構成した。【選択図】図１
0003225458.tif 000002
【実用新案登録請求の範囲】
【請求項１】
人体の胎盤を模した分娩シミュレーション教材であって、模擬胎盤本体、模擬胎盤本体に連なる模擬卵膜及び模擬臍帯を有し、上記模擬胎盤本体は粒状のプラスチックペレットの集合体からなる充填材とこの充填材を内部に収納する表面材からなり、上記表面材は上記模擬卵膜の開口側から見て中央部に位置する非伸縮性の布地からなる非伸縮性表面材と、この非伸縮性表面材の周囲に配置された伸縮性の布地からなる伸縮性表面材とで構成され、上記模擬臍帯は模擬血管と、この模擬血管に沿って模擬血管を取り囲むように筒状に構成された透明または半透明の化学繊維の素材からなる外側膜とで構成された教材用模擬胎盤。
【請求項２】
請求項１において、上記模擬臍帯の模擬胎盤本体と反対側の端部には臍帯切断用教材が接続されるキャップが装着されており、上記模擬臍帯の外側膜は、該キャップ端部を覆うように延伸されていることを特徴とする教材用模擬胎盤。
【請求項３】
請求項１または請求項２において、上記模擬臍帯の一方端は上記模擬胎盤本体の上記非伸縮性表面材に縫着されており、非伸縮性表面材の縫着部と反対側に縫着部の補強材が取り付けられていることを特徴とする教材用模擬胎盤。
【考案の詳細な説明】
【技術分野】
【０００１】  本考案は、助産師の養成教育等での分娩時実習の教材として使用される模擬胎盤に関する。
【背景技術】
【０００２】  大学の看護学部等においては、助産師の養成教育での分娩時実習の教材として、人体の胎盤を模した模擬胎盤が用いられる。ここで模擬胎盤とは、模擬胎盤本体、模擬卵膜、模擬臍帯の総体をいう。従来、このような教材としてはプラスチック製のものを使用していた。また、特許文献１には児童・生徒に妊娠・出産を理解させるための体験学習用保健教材としての模擬胎盤が開示されている。
【先行技術文献】
【特許文献】
【０００３】
【特許文献１】特開２００４−７７５６２号公報
【考案の概要】
【考案が解決しようとする課題】
【０００４】  助産師の養成教育等で使用される模擬胎盤としては、この教育の効果を高めるために、大きさや重さのみならず、実際の分娩時に習得すべき点が効果的に学習できるものが求められる。例えば、細い模擬産道を通るために伸縮性があることが求められる。また、実習で繰り返し使えるように濡れても洗える素材であることが求められる。特許文献１には、これらの点についての示唆は見当たらない。本考案の目的は、看護学部の学生や助産師を目指す者が模擬産道を介して分娩シミュレーションの実技を習得するのに好適な模擬胎盤を提供することにある。
【課題を解決するための手段】
【０００５】  本考案に係る模擬胎盤において、模擬卵膜は撥水加工が施されたポリエステル等の化学繊維の素材で構成した。模擬胎盤本体は粒状合成樹脂材の集合体からなる充填材と、この充填材を内部に収納するように形成された表面材とで構成され、上記表面材は模擬卵膜の開口側から見て中心部に位置する非伸縮性の布地からなる非伸縮性表面材と、この非伸縮性表面材の周囲に位置する伸縮性の布地からなる伸縮性表面材とで構成した。また、模擬臍帯は模擬血管と、この模擬血管に沿って模擬血管を取り囲むように筒状に構成された透け感のある透明または半透明のポリエステル等の化学繊維の素材からなる臍帯外側膜とで構成した。
【考案の効果】
【０００６】  模擬卵膜としてダウンジャケットの裏地にも使用される撥水性のある白色のポリエステル素材を使用することにより、簡単に洗えて速乾性があるという効果が達成される。また、丈夫であり滑り具合も良い。模擬胎盤本体は伸縮性を考えて、中央の素材を伸びない素材とし、周囲を伸縮性のある素材として両者を組み合わせることにより細い模擬産道を通りやすくなる効果がある。模擬臍帯は強く引いても取れないように、接続部分に貝ボタン等の補強具で補強して模擬胎盤本体に穴が開かない工夫がなされている。又静脈の青いアクリル紐、動脈の赤いアクリル紐が見やすいように、それらを透明感のあるポリエステル生地で覆っている。
【図面の簡単な説明】
【０００７】
【図１】本考案の実施形態を示す図である。
【図２】本考案の実施形態の模擬臍帯端部の拡大図である。
【考案を実施するための形態】
【０００８】  以下、図面を用いて本考案を実施するための形態を説明する。
７は模擬胎盤本体であって内部にペレットが充填されている。ペレットとしては、ビースのような外見のプラスチック玉で、色は半透明で直径５ｍｍのつぶれた球形のペレットを使用した。模擬胎盤本体は直径１６０ｍｍ、重さ３５０ｇ、厚さ１０〜２０ｍｍである。実際の胎盤重量は５００ｇぐらいであるが、この実施例では模擬産道を通過しやすくするためにペレット量を調整し重量を小さくしてある。
【０００９】  このペレットは円形表面材の内部に収納されている。１は円形表面材の中央部であり直径１００ｍｍの円形状である。素材として通常の非伸縮性の木綿生地を使用した。２は中央部１の外側に位置する円形表面材の周辺部であり、伸縮性のあるスポーツ服用の生地を使用しているので、濡れても乾きやすい。周辺部２の外径は１６０ｍｍである。本実施形態では上述した円形表面材を２枚作成してそれらの周囲を縫い合わせ、その中にペレットを収納して模擬胎盤本体とした。
【００１０】  なお、円形表面材を木綿生地だけで構成した比較例においては、内部のペレットが一方に偏ってしまい、模擬産道が通りにくくなった。本考案においては伸縮性の生地を追加することにより、ペレットの流れがスムーズになり模擬産道に引っかかることなく流れるようになった。また、逆に円形表面材を伸縮性生地だけで構成した比較例においては、模擬産道との間で抵抗が小さくなりすぎ、実習上の効果が小さくなる。このようなことから、非伸縮性の生地からなる中央部の直径は８０ｍｍ以上１２０ｍｍ以下とするのが、実習の効果を上げるという点で好ましい。さらに本実施形態における模擬胎盤本体は、濡れても不具合でないもの、ゼリーを付けても洗えるもの、ねじれても戻らないものとの条件を満たしている。
【００１１】  ３は模擬卵膜であり、速乾性のあるポリエステル生地を使用した。この模擬卵膜は一端が開口し、他端が閉じた底部を有する円筒形状でありその底部には模擬胎盤本体が位置する。４は臍帯内の模擬動脈であり、赤いアクリル紐１本を使用した。５は臍帯内の模擬静脈であり、青いアクリル紐２本を使用した。なお、実際の胎児の臍帯静脈と臍帯動脈はらせんを描くように絡み合っている。６は模擬臍帯外側膜であり、中が見えやすいように薄地のポリエステル生地を使用した。本実施形態では模擬臍帯の長さを４５０ｍｍとして、実習者が胎盤を引き出しやすくするために実際よりも長くしてある。
【００１２】  模擬胎盤本体と模擬臍帯の結合部分は補強材が使われることで、強く引いても取れないようになっている。すなわち、模擬臍帯を模擬胎盤本体に縫い付けて固着する際に、布地の反対側に例えば小さなボタンを補強材として縫い付ける。このボタンに替えて当て布、金具であっても良い。８は模擬臍帯部分の先端に装着された臍帯切断用教材のキャップである。模擬臍帯の外側部はこのキャップを覆うように、キャップの端部まで延伸されている。このようにすることにより、本考案の模擬胎盤とは別部材として用意される臍帯切断実習用教材と模擬胎盤との一体感が生じ、実習の効果向上に役立つとともに、実習用臍帯モデルとしても使いやすくなる。
【符号の説明】
【００１３】  １  円形表面材の中央部
２  円形表面材の周辺部
３  模擬卵膜
４  模擬動脈
５  模擬静脈
６  模擬臍帯外側膜
７  模擬胎盤本体
８  臍帯切断用教材のキャップ
【図１】
0003225458.tif 000003
【図２】
0003225458.tif 000004